【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
以下の化学式を有するポリノルボルネンモノマーであって、
【化１】
2008510850.tif 000001
ここで、
Ｒ１は極性若しくは非極性であり、Ｒ２が存在する場合、Ｒ２はＲ１と異極性である、ポリノルボルネンモノマー。
【請求項２】
請求項１のモノマーにおいて、前記ポリノルボルネンモノマーは、以下の化合物、
【化２】
2008510850.tif 000002
から成るグループから選択されるものである。
【請求項３】
請求項１のモノマーから形成されるポリマー。
【請求項４】
請求項３のポリマーにおいて、前記モノマーは、以下の化合物、
【化３】
2008510850.tif 000003
及びその組み合わせから成るグループから選択されるものである。
【請求項５】
請求項３のポリマーにおいて、このポリマーは、さらに、
第二のポリノルボルネンモノマーを有するものである。
【請求項６】
請求項５のポリマーにおいて、前記ポリマーは、ブロック、ランダム、若しくは交互である。
【請求項７】
請求項５のポリマーにおいて、前記第一の両親媒性モノマーは、ｐｏｌｙ２であり、前記第二の両親媒性モノマーは、ｐｏｌｙ３である。
【請求項８】
請求項７のポリマーにおいて、前記ｐｏｌｙ３に対するｐｏｌｙ２の割合は、約１０：１〜約１：１０である。
【請求項９】
請求項７のポリマーにおいて、前記ｐｏｌｙ３に対するｐｏｌｙ２の割合は、約１：１である。
【請求項１０】
以下の化学式を有する両親媒性モノマーであって、
【化４】
2008510850.tif 000004
ここで、
Ｒ１は極性若しくは非極性であり、Ｒ２はＲ１と異なる極性である両親媒性モノマー。
【請求項１１】
請求項１０の両親媒性モノマーにおいて、前記ポリノルボルネンモノマーは、以下の化合物、
【化５】
2008510850.tif 000005
から成るグループから選択されるものである。
【請求項１２】
請求項１０のモノマーから形成されるポリマー。
【請求項１３】
両親媒性コポリマーであって、極性ポリノルボルネンモノマー単位及び非極性ポリノルボルネンモノマー単位を有する両親媒性コポリマー。
【請求項１４】
請求項１３の両親媒性コポリマーにおいて、前記コポリマーは、ブロック、ランダム、若しくは交互である。
【請求項１５】
請求項１３の両親媒性コポリマーにおいて、前記極性に対する非極性ポリノルボルネンモノマー単位の割合は、約１０：１〜約１：１０である。
【請求項１６】
請求項１３の両親媒性コポリマーにおいて、前記極性に対する非極性ポリノルボルネンモノマー単位の割合は、約１：１である。
【請求項１７】
請求項１３の両親媒性コポリマーにおいて、前記極性及び非極性ポリノルボルネンモノマー単位は、以下の化合物、
【化６】
2008510850.tif 000006
及びその組み合わせから成るグループから選択されるものであり、
ここで、
Ｒ１は極性若しくは非極性であり、Ｒ２が存在する場合、Ｒ２はＲ１と同じ極性である。
【請求項１８】
請求項１３の両親媒性コポリマーにおいて、前記両親媒性コポリマーは、以下の化合物、
【化７】
2008510850.tif 000007
から成るグループから選択されるものである。
【請求項１９】
請求項３の両親媒性ポリマーを有する薬学的組成物。
【請求項２０】
請求項１９の薬学的組成物において、前記組成物は、局所、経口、若しくは静脈内投与されるものである。
【請求項２１】
薬学的組成物であって、請求項１３の両親媒性コポリマーを有する薬学的組成物。
【請求項２２】
請求項２１の薬学的組成物において、前記組成物は、局所、経口、若しくは静脈内投与されるものである。
【請求項２３】
物質の上若しくは中での微生物増殖を阻害する方法であって、請求項３の両親媒性ポリマーを前記物質に適用する工程を有する方法。
【請求項２４】
請求項２３の方法において、前記適用する工程は、前記物質をコーティングする工程を有するものである。
【請求項２５】
請求項２３の方法において、前記適用する工程は、前記物質にスプレーする工程を有するものである。
【請求項２６】
請求項２３の方法において、前記適用する工程は、前記ポリマーを前記物質と混合する工程を有するものである。
【請求項２７】
請求項２３の方法において、前記物質は、塗料、ラッカー、被服剤、ニス、コーキング剤、グラウト、接着剤、樹脂、被膜、クレンザー、光沢剤、化粧品、石鹸、ローション、手洗い用液体セッケン、及び界面活性剤から成るグループから選択されるものである。
【請求項２８】
物質の上若しくは中での微生物増殖を阻害する方法であって、請求項１３の両親媒性コポリマーを前記物質に適用する工程を有する方法。
【請求項２９】
請求項２８の方法において、前記適用する工程は、前記物質をコーティングする工程を有するものである。
【請求項３０】
請求項２８の方法において、前記適用する工程は、前記物質にスプレーする工程を有するものである。
【請求項３１】
請求項２８の方法において、前記適用する工程は、前記ポリマーを前記物質と混合する工程を有するものである。
【請求項３２】
請求項２８の方法において、前記物質は、塗料、ラッカー、被服剤、ニス、コーキング剤、グラウト、接着剤、樹脂、被膜、クレンザー、光沢剤、化粧品、石鹸、ローション、手洗い用液体セッケン、及び界面活性剤から成るグループから選択されるものである。
【請求項３３】
抗菌性組成物であって、少なくとも１つの活性且つ溶血性ポリノルボルネンモノマーと、少なくとも１つの低活性且つ低溶血性ポリノルボルネンモノマーとを有する抗菌性組成物。
【請求項３４】
請求項３３の抗菌性組成物において、前記活性且つ溶血性モノマーは、ｐｏｌｙ３を有するものである。
【請求項３５】
請求項３３の抗菌性組成物において、前記低活性且つ低溶血性モノマーは、ｐｏｌｙ２を有するものである。
【請求項３６】
両親媒性ポリマーを調製する方法であって、以下の化合物、
【化８】
2008510850.tif 000008
及びその組み合わせから成るグループから選択される化学式を有するポリノルボルネンモノマーを１つ以上重合する工程を有する方法。
【手続補正２】
【補正対象書類名】明細書
【補正対象項目名】０００４
【補正方法】変更
【補正の内容】
【０００４】
限られた多分散性ホモポリマーの抗菌及び溶血活性と、広範囲にわたる分子量のモジュラーノルボルネン誘導体のランダムコポリマーとが、本明細書において示されている。結果は、可溶性両親媒性ポリマーの疎水性／親水性のバランスを制御することによって、合成の設計の一部として両親媒性二次構造をとり易くなることなく、抗菌活性と溶血活性との間の高い選択性を得ることが可能であることを指し示す。グラム陰性細菌及びグラム陽性細菌の両者に対する全体的な効果は、繰り返し単位上のアルキル置換基の長さに依存しているように見える。従って、細菌に対して強力且つ非溶血性である単純なポリマーを設計することは可能である。
この出願の発明に関連する先行技術文献情報としては、以下のものがある（国際出願日以降国際段階で引用された文献及び他国に国内移行した際に引用された文献を含む）。
【特許文献１】米国特許出願公開第２００６／００２４２６４号明細書
【特許文献２】国際公開第０２／１００２９５号パンフレット
【特許文献３】国際公開第９７／４９４１３号パンフレット
【特許文献４】国際公開第０６／０２１００１号パンフレット
【非特許文献１】ＤＥＢＯＮＯ  ｅｔ  ａｌ．，  Ａｎｔｉｂｉｏｔｉｃｓ  Ｔｈａｔ  Ｉｎｈｉｂｉｔ  Ｆｕｎｇａｌ  Ｃｅｌｌ  Ｗａｌｌ  Ｄｅｖｅｌｏｐｍｅｎｔ，  １９９４，  Ａｎｎ．  Ｒｅｖ．  Ｍｉｃｒｏｂｉｏｌ．  ４８：４７１−４９７
【非特許文献２】ＤＥＬＵＣＣＡ  ｅｔ  ａｌ．，  Ａｎｔｉｆｕｎｇａｌ  Ｐｅｐｔｉｄｅｓ：  Ｎｏｖｅｌ  Ｔｈｅｒａｐｅｕｔｉｃ  Ｃｏｍｐｏｕｎｄｓ  ａｇａｉｎｓｔ  Ｅｍｅｒｇｉｎｇ  Ｐａｔｈｏｇｅｎｓ，  １９９９，  Ａｎｔｉｍｉｃｒｏｂ．  Ａｇｅｎｔｓ  ａｎｄ  Ｃｈｅｍｏｔｈｅｒ．  ４３（１）：１−１１
【非特許文献３】ＴＵＲＰＩＥ，  Ｐｈａｒｍａｃｏｌｏｇｙ  ｏｆ  ｔｈｅ  ｌｏｗ−ｍｏｌｅｃｕｌａｒ−ｗｅｉｇｈｔ  ｈｅｐａｒｉｎｓ，  １９９８，  Ａｍ．  Ｈｅａｒｔ  Ｊ．  １３５：Ｓ３２９−Ｓ３３５
【非特許文献４】ＨＩＲＳＨ  ｅｔ  ａｌ．，  Ｌｏｗ  Ｍｏｌｅｃｕｌａｒ  Ｗｅｉｇｈｔ  Ｈｅｐａｒｉｎ，  １９９２，  Ｂｌｏｏｄ  ７９（１）：１−１７
【非特許文献５】ＷＡＫＥＦＩＥＬＤ  ｅｔ  ａｌ．，  Ａ  ［＋１８ＲＧＤ］  Ｐｒｏｔａｍｉｎｅ  Ｖａｒｉａｎｔ  ｆｏｒ  Ｎｏｎｔｏｘｉｃ  ａｎｄ  Ｅｆｆｅｃｔｉｖｅ  Ｒｅｖｅｒｓａｌ  ｏｆ  Ｃｏｎｖｅｎｔｉｏｎａｌ  Ｈｅｐａｒｉｎ  ａｎｄ  Ｌｏｗ−Ｍｏｌｅｃｕｌａｒ−Ｗｅｉｇｈｔ  Ｈｅｐａｒｉｎ  Ａｎｔｉｃｏａｇｕｌａｔｉｏｎ，  １９９６，  Ｊ．  Ｓｕｒｇ．  Ｒｅｓ．  ６３：２８０−２８６
【非特許文献６】ＭＡＹＯ，  Ｃｈａｉｎ  Ｔｒａｎｓｆｅｒ  ｉｎ  ｔｈｅ  Ｐｏｌｙｍｅｒｉｚａｔｉｏｎ  ｏｆ  Ｓｔｙｒｅｎｅ：  Ｔｈｅ  Ｒｅａｃｔｉｏｎ  ｏｆ  Ｓｏｌｖｅｎｔｓ  ｗｉｔｈ  Ｆｒｅｅ  Ｒａｄｉｃａｌｓ，  １９４３，  Ｊ．  Ａｍ．  Ｃｈｅｍ．  Ｓｏｃ．  ６５：２３２４−２３２９
【非特許文献７】Ｐｏｌｙｍｅｒ  Ｓｙｎｔｈｅｓｉｓ：  Ｔｈｅｏｒｙ  ａｎｄ  Ｐｒａｃｔｉｃｅ，  ３ｒｄ  ｅｄ．，  Ｂｒａｕｎ  ｅｔ  ａｌ．，  Ｓｐｒｉｎｇｅｒ−Ｖｅｒｌａｇ，  Ｂｅｒｌｉｎ
【非特許文献８】ＳＡＮＤＡ  ｅｔ  ａｌ．，  Ｓｙｎｔｈｅｓｉｓ  ａｎｄ  Ｒｅａｃｔｉｏｎｓ  ｏｆ  ａ  Ｐｏｌｙ（ｍｅｔｈａｃｒｙｌａｔｅ）  ｆｒｏｍ  ａｎ  Ｏｐｔｉｃａｌｌｙ  Ａｃｔｉｖｅ  Ａｍｉｎｏ  Ａｌｃｏｈｏｌ，  １９９８，  Ｊ．  Ｐｏｌｙｍｅｒ  Ｓｃｉ．：  Ｐａｒｔ  Ａ：  Ｐｏｌｙｍｅｒ  Ｃｈｅｍｉｓｔｒｙ  ３６：  １９８１−１９８６
【非特許文献９】ＨＥＮＲＩＱＵＥＺ  ｅｔ  ａｌ．，  Ｔｈｉｏｌｓ  ａｓ  ｃｈａｉｎ  ｔｒａｎｓｆｅｒ  ａｇｅｎｔｓ  ｉｎ  ｆｒｅｅ  ｒａｄｉｃａｌ  ｐｏｌｙｍｅｒｉｚａｔｉｏｎ  ｉｎ  ａｑｕｅｏｕｓ  ｓｏｌｕｔｉｏｎ，  ２００３，  Ｐｏｌｙｍｅｒ  ４４：５５５９−５５６１
【非特許文献１０】ＤＥＬＥＦＵＥＮＴＥ  ｅｔ  ａｌ．，  Ｈｏｍｏｐｏｌｙｍｅｒｉｚａｔｉｏｎ  ｏｆ  Ｍｅｔｈｙｌ  ＭＥｔｈａｃｒｙｌａｔｅ  ａｎｄ  Ｓｔｙｒｅｎｅ：  Ｄｅｔｅｒｍｉｎａｔｉｏｎ  ｏｆ  ｔｈｅ  Ｃｈａｉｎ−Ｔｒａｎｓｆｅｒ  Ｃｏｎｓｔａｎｔ  ｆｒｏｍ  ｔｈｅ  Ｍａｙｏ  Ｅｑｕａｔｉｏｎ  ａｎｄ  ｔｈｅ  Ｎｕｍｂｅｒ  Ｄｉｓｔｒｉｂｕｔｉｏｎ  ｆｏｒ  ｎ−Ｄｏｄｅｃａｎｅｔｈｉｏｌ，  ２０００，  Ｊ．  Ｐｏｌｙｍｅｒ  Ｓｃｉ．：  Ｐａｒｔ  Ａ：  Ｐｏｌｙｍｅｒ  Ｃｈｅｍｉｓｔｒｙ  ３８：１７０−１７８
【非特許文献１１】ＧＲＥＥＮＥ  ｅｔ  ａｌ．，  Ｐｒｏｔｅｃｔｉｖｅ  Ｇｒｏｕｐｓ  ｉｎ  Ｏｒｇａｎｉｃ  Ｓｙｎｔｈｅｓｉｓ，  ３ｒｄ  ｅｄ．，  Ｊｏｈｎ  Ｗｉｌｅｙ  ａｎｄ  Ｓｏｎｓ，  Ｉｎｃ．，  １９９９  （ＴＯＣ）
【非特許文献１２】ＴＥＷ  ｅｔ  ａｌ．，  Ｄｅ  ｎｏｖｏ  ｄｅｓｉｇｎ  ｏｆ  ｂｉｏｍｉｍｅｔｉｃ  ａｎｔｉｍｉｃｒｏｂｉａｌ  ｐｏｌｙｍｅｒｓ，  ２００２，  Ｐｒｏｃ．  Ｎａｔｌ．  Ａｃａｄ．  Ｓｃｉ．  ＵＳＡ  ９９（８）：５１１０−５１１４
【非特許文献１３】ＬＩＵ  ｅｔ  ａｌ．，  Ｄｅ  Ｎｏｖｏ  Ｄｅｓｉｇｎ，  Ｓｙｎｔｈｅｓｉｓ，  ａｎｄ  Ｃｈａｒａｃｔｅｒｉｚａｔｉｏｎ  ｏｆ  Ａｎｔｉｍｉｃｒｏｂｉａｌ  β−Ｐｅｐｔｉｄｅｓ，  ２００１，  Ｊ．  Ａｍｅｒ．  Ｃｈｅｍ．  Ｓｏｃ．  １２３：７５５３−７５５９
【非特許文献１４】ＢＥＬＡＩＤ  ｅｔ  ａｌ．，  Ｉｎ  Ｖｉｔｒｏ  Ａｎｔｉｖｉｒａｌ  Ａｃｔｉｖｉｔｙ  ｏｆ  Ｄｅｒｍａｓｅｐｔｉｎｓ  Ａｇａｉｎｓｔ  Ｈｅｒｐｅｓ  Ｓｉｍｐｌｅｘ  Ｖｉｒｕｓ  Ｔｙｐｅ  １，  ２００２，  Ｊ．  Ｍｅｄ．  Ｖｉｒｏｌ．  ６６：２２９−２３４
【非特許文献１５】ＥＧＡＬ  ｅｔ  ａｌ．，  Ａｎｔｉｖｉｒａｌ  ｅｆｆｅｃｔｓ  ｏｆ  ｓｙｎｔｈｅｔｉｃ  ｍｅｍｂｒａｎｅ−ａｃｔｉｖｅ  ｐｅｐｔｉｄｅｓ  ｏｎ  Ｈｅｒｐｅｓ  Ｓｉｍｐｌｅｘ  Ｖｉｒｕｓ，  Ｔｙｐｅ  １，  １９９９，  Ｉｎｔ．  Ｊ．  Ａｎｔｉｍｉｃｒｏｂ．  Ａｇｅｎｔｓ  １３：５７−６０
【非特許文献１６】ＡＮＤＥＲＳＥＮ  ｅｔ  ａｌ．，  Ｌａｃｔｏｆｅｒｒｉｃｉｎ  ａｎｄ  ｃｙｃｌｉｃ  ｌａｃｔｏｆｅｒｒｉｃｉｎ  ｉｎｈｉｂｉｔ  ｔｈｅ  ｅｎｔｒｙ  ｏｆ  ｈｕｍａｎ  ｃｙｔｏｍｅｇａｌｏｖｉｒｕｓ  ｉｎｔｏ  ｈｕｍａｎ  ｆｉｂｒｏｂｌａｓｔｓ，  ２００１，  Ａｎｔｉｖｉｒａｌ  Ｒｅｓ．  ５１：１４１−１４９
【非特許文献１７】ＢＡＳＴＩＡＮ  ｅｔ  ａｌ．，  Ｈｕｍａｎ  α−ｄｅｆｅｎｓｉｎ  １  （ＨＮＰ−１）  ｉｎｈｉｂｉｔｓ  ａｄｅｎｏｖｉｒａｌ  ｉｎｆｅｃｔｉｏｎ  ｉｎ  ｖｉｔｒｏ，  ２００１，  Ｒｅｇｕｌａｔｏｒｙ  Ｐｅｐｔｉｄｅｓ  １５：１５７−１６１
【非特許文献１８】ＣＯＬＥ  ｅｔ  ａｌ．，  Ｒｅｔｒｏｃｙｃｌｉｎ：  Ａ  ｐｒｉｍａｔｅ  ｐｅｐｔｉｄｅ  ｔｈａｔ  ｐｒｏｔｅｃｔｓ  ｃｅｌｌｓ  ｆｒｏｍ  ｉｎｆｅｃｔｉｏｎ  ｂｙ  Ｔ−  ａｎｄ  Ｍ−ｔｒｏｐｉｃ  ｓｔｒａｉｎｓ  ｏｆ  ＨＩＶ−１，  ２００２，  Ｐｒｏｃ．  Ｎａｔｌ．  Ａｃａｄ．  Ｓｃｉ．  ＵＳＡ  ９９（４）：１８１３−１８１８
【非特許文献１９】ＥＤＷＡＲＤＳ  ｅｔ  ａｌ．，  Ｉｎ  Ｖｉｔｒｏ  Ａｎｔｉｂａｃｔｅｒｉａｌ  Ａｃｔｉｖｉｔｙ  ｏｆ  ＳＭ−７３３８，  ａ  Ｃａｒｂａｐｅｎｕｍ  Ａｎｔｉｂｉｏｔｉｃ  ｗｉｔｈ  Ｓｔａｂｉｌｉｔｙ  ｔｏ  Ｄｅｈｙｄｒｏｐｅｐｔｉｄａｓｅ  Ｉ，  １９８９，  Ａｎｔｉｍｉｃｒｏｂ．  Ａｇｅｎｔｓ  &  Ｃｈｅｍｏｔｈｅｒａｐｙ  ３３（２）：２１５−２２２
【非特許文献２０】ＢＲＯＥＫＡＥＲＴ  ｅｔ  ａｌ．，  Ａｎ  ａｕｔｏｍａｔｅｄ  ｑｕａｎｔｉｔａｔｉｖｅ  ａｓｓａｙ  ｆｏｒ  ｆｕｎｇａｌ  ｇｒｏｗｔｈ  ｉｎｈｉｂｉｔｉｏｎ，  １９９０，  ＦＥＭＳ  Ｍｉｃｒｏｂｉｏｌ．  Ｌｅｔｔ．  ６９：５５−６０
【非特許文献２１】ＫＵＲＯＤＡ  ｅｔ  ａｌ．，  Ａｍｐｈｉｐｈｉｌｉｃ  Ｐｏｌｙｍｅｔｈａｃｒｙｌａｔｅ  Ｄｅｒｉｖａｔｉｖｅｓ  ａｓ  Ａｎｔｉｍｉｃｒｏｂｉａｌ  Ａｇｅｎｔｓ，  ２００５，  Ｊ．  Ａｍｅｒ．  Ｃｈｅｍ．  Ｓｏｃ．  １２７：４１２８−４１２９
【非特許文献２２】ＪＡＶＡＤＰＯＵＲ  ｅｔ  ａｌ．，  Ｄｅ  Ｎｏｖｏ  Ａｎｔｉｍｉｃｒｏｂｉａｌ  Ｐｅｐｔｉｄｅｓ  ｗｉｔｈ  Ｌｏｗ  Ｍａｍｍａｌｉａｎ  Ｃｅｌｌ  Ｔｏｘｉｃｉｔｙ，  １９９６，  Ｊ．  Ｍｅｄ．  Ｃｈｅｍ．  ３９：３１０７−３１１３
【非特許文献２３】ＫＡＮＤＲＯＴＡＳ  ｅｔ  ａｌ．，  Ｈｅｐａｒｉｎ  Ｐｈａｒｍａｃｏｋｉｎｅｔｉｃｓ  ａｎｄ  Ｐｈａｒｍａｃｏｄｙｎａｍｉｃｓ，  １９９６，  Ｃｌｉｎ．  Ｐｈａｒｍａｃｏｋｉｎｅｔ  ２２（５）：３５９−３７４
【非特許文献２４】ＤＩＮＥＳＳ  ｅｔ  ａｌ．，  Ｎｅｕｔｒａｌｉｚａｔｉｏｎ  ｏｆ  ａ  Ｌｏｗ  Ｍｏｌｅｃｕｌａｒ  Ｗｅｉｇｈｔ−Ｈｅｐａｒｉｎ  （ＬＨＮ−１）  ａｎｄ  Ｃｏｎｖｅｎｔｉｏｎａｌ  Ｈｅｐａｒｉｎ  ｂｙ  Ｐｒｏｔａｍｉｎｅ  Ｓｕｌｆａｔｅ  ｉｎ  Ｒａｔｓ，  １９８６，  Ｔｈｒｏｍｂｏｓｉｓ  ａｎｄ  Ｈａｅｍｏｓｔａｓｉｓ  ５６（３）：３１８−３２２
【非特許文献２５】ＷＯＮＧ  ｅｔ  ａｌ．，  Ｎｏｎｐｅｐｔｉｄｅ  Ｆａｃｔｏｒ  Ｘａ  Ｉｎｈｉｂｉｔｏｒｓ：  Ｉ．  Ｓｔｕｄｉｅｓ  ｗｉｔｈ  ＳＦ３０３  ａｎｄ  ＳＫ５４９，  ａ  Ｎｅｗ  Ｃｌａｓｓ  ｏｆ  Ｐｏｔｅｎｔ  Ａｎｔｉｔｈｒｏｍｂｏｔｉｃｓ，  ２０００，  Ｊ．  Ｐｈａｒｍ．  Ｅｘｐ．  Ｔｈｅｒａｐ．  ２９２（１）：３５１−３５７
【非特許文献２６】ＲＹＮ−ＭＣＫＥＮＮＡ  ｅｔ  ａｌ．，  Ｎｅｕｔｒａｌｉｚａｔｉｏｎ  ｏｆ  Ｅｎｏｘａｐａｒｉｎｅ−Ｉｎｄｕｃｅｄ  Ｂｌｅｅｄｉｎｇ  ｂｙ  Ｐｒｏｔａｍｉｎｅ  Ｓｕｌｆａｔｅ，  １９９０，  Ｔｈｒｏｍｂｏｓｉｓ  ａｎｄ  Ｈａｅｍｏｓｔａｓｉｓ  ６３（２）：２７１−２７４
【非特許文献２７】ＢＡＮＫＥＲ  ｅｔ  ａｌ．，  Ｍｏｄｅｒｎ  Ｐｈａｒｍａｃｅｕｔｉｃｓ，  Ｍａｒｃｅｌ  Ｄｅｋｋｅｒ，  Ｉｎｃ．  １９７９  （ＴＯＣ）
【非特許文献２８】ＧＯＯＤＭＡＮ  ＡＮＤ  ＧＩＬＭＡＮ'Ｓ  Ｔｈｅ  Ｐｈａｒｍａｃｅｕｔｉｃａｌ  Ｂａｓｉｓ  ｏｆ  Ｔｈｅｒａｐｅｕｔｉｃｓ，  ６ｔｈ  ｅｄ．，  ＭａｃＭｉｌｌａｎ  Ｐｕｂｌｉｓｈｉｎｇ  Ｃｏ．，  Ｎｅｗ  Ｙｏｒｋ，  １９８０  （ＴＯＣ）
【非特許文献２９】ＡＮＤＲＥＵ  ｅｔ  ａｌ．，  Ａｎｉｍａｌ  Ａｎｔｉｍｉｃｒｏｂｉａｌ  Ｐｅｐｔｉｄｅｓ：  Ａｎ  Ｏｖｅｒｖｉｅｗ，  １９９８，  Ｂｉｏｐｏｌｙｍｅｒｓ  Ｐｅｐｔｉｄｅ  Ｓｃｉｅｎｃｅ  ４７（６）：４１５−４３３
【非特許文献３０】ＺＡＳＬＯＦＦ，  Ａｎｔｉｍｉｃｒｏｂｉａｌ  ｐｅｐｔｉｄｅｓ  ｏｆ  ｍｕｌｔｉｃｅｌｌｕｌａｒ  ｏｒｇａｎｉｓｍｓ，  ２００２，  Ｎａｔｕｒｅ  ４１５：３８９−３９５
【非特許文献３１】ＨＡＮＣＯＣＫ，  Ｈｏｓｔ  Ｄｅｆｅｎｓｅ  （Ｃａｔｉｏｎｉｃ）  Ｐｅｐｔｉｄｅｓ−Ｗｈａｔ  ｉｓ  Ｔｈｅｉｒ  Ｃｌｉｎｉｃａｌ  Ｐｏｔｅｎｔｉａｌ？，  １９９９，  Ｄｒｕｇｓ  ５７（４）：４６９−４７３
【非特許文献３２】ＶＡＮ'ＴＨＯＦ  ｅｔ  ａｌ．，  Ａｎｔｉｍｉｃｒｏｂｉａｌ  Ｐｅｐｔｉｄｅｓ：  Ｐｒｏｐｅｒｔｉｅｓ  ａｎｄ  Ａｐｐｌｉｃａｂｉｌｉｔｙ，  ２００１，  Ｂｉｏｌ．  Ｃｈｅｍ．  ３８２：５９７−６１９
【非特許文献３３】ＯＲＥＮ  ｅｔ  ａｌ．，  Ｍｏｄｅ  ｏｆ  Ａｃｔｉｏｎ  ｏｆ  Ｌｉｎｅａｒ  Ａｍｐｈｉｐａｔｈｉｃ  α−Ｈｅｌｉｃａｌ  Ａｎｔｉｍｉｃｒｏｂｉａｌ  Ｐｅｐｔｉｄｅｓ，  １９９８，  Ｂｉｏｐｏｌｙｍｅｒｓ  ４７：４５１−４６３
【非特許文献３４】ＨＵＡＮＧ，  Ａｃｔｉｏｎ  ｏｆ  Ａｎｔｉｍｉｃｒｏｂｉａｌ  Ｐｅｐｔｉｄｅｓ：  Ｔｗｏ−Ｓｔａｔｅ  Ｍｏｄｅｌ，  ２０００，  Ｂｉｏｃｈｅｍｉｓｔｒｙ  ３９（２９）：８３４７−８３５２
【非特許文献３５】ＯＲＥＮ，  ｅｔ  ａｌ．，  Ｓｅｌｅｃｔｉｖｅ  Ｌｙｓｉｓ  ｏｆ  Ｂａｃｔｅｒｉａ  ｂｕｔ  Ｎｏｔ  Ｍａｍｍａｌｉａｎ  Ｃｅｌｌｓ  ｂｙ  Ｄｉａｓｔｅｒｅｏｍｅｒｓ  ｏｆ  Ｍｅｌｉｔｔｉｎ：  Ｓｔｒｕｃｔｕｒｅ−Ｆｕｎｃｔｉｏｎ  Ｓｔｕｄｙ，  １９９７，  Ｂｉｏｃｈｅｍｉｓｔｒｙ  ３６：１８６２−１８３５
【非特許文献３６】ＷＡＤＥ  ｅｔ  ａｌ．，  Ａｌｌ−Ｄ  ａｍｉｎｏ  ａｃｉｄ−ｃｏｎｔａｉｎｉｎｇ  ｃｈａｎｎｅｌ−ｆｏｒｍｉｎｇ  ａｎｔｉｂｉｏｔｉｃ  ｐｅｐｔｉｄｅｓ，  １９９０，  Ｐｒｏｃ．  Ｎａｔｌ．  Ａｃａｄ．  Ｓｃｉ．  ＵＳＡ  ８７：４７６１−４７６５
【非特許文献３７】ＤＡＴＨＥ  ｅｔ  ａｌ．，  Ｐｅｐｔｉｄｅ  Ｈｅｌｉｃｉｔｙ  ａｎｄ  Ｍｅｍｂｒａｎｅ  Ｓｕｒｆａｃｅ  Ｃｈａｒｇｅ  Ｍｏｄｕｌａｔｅ  ｔｈｅ  Ｂａｌａｎｃｅ  ｏｆ  Ｅｌｅｃｔｒｏｓｔａｔｉｃ  ａｎｄ  Ｈｙｄｒｏｐｈｏｂｉｃ  Ｉｎｔｅｒａｃｔｉｏｎｓ  ｗｉｔｈ  Ｌｉｐｉｄ  Ｂｉｌａｙｅｒｓ  ａｎｄ  Ｂｉｏｌｏｇｉｃａｌ  Ｍｅｍｂｒａｎｅｓ，  １９９６，  Ｂｉｏｃｈｅｍｉｓｔｒｙ  ３５：１２６１２−１２６２２
【非特許文献３８】ＰＯＲＴＥＲ  ｅｔ  ａｌ．，  Ｎｏｎ−ｈａｅｍｏｌｙｔｉｃ  β−ａｍｉｎｏ−ａｃｉｄ  ｏｌｉｇｏｍｅｒｓ，  ２０００，  Ｎａｔｕｒｅ  ４０４：５６５
【非特許文献３９】ＰＯＲＴＥＲ  ｅｔ  ａｌ．，  Ｅｒｒａｔｕｍ：  Ｎｏｎ−ｈａｅｍｏｌｙｔｉｃ  β−ａｍｉｎｏ−ａｃｉｄ  ｏｌｉｇｏｍｅｒｓ，  ２０００，  Ｎａｔｕｒｅ  ４０５：２９８  （ｏｒｉｇ．  ａｒｔｉｃｌｅ  ｉｎ  Ｎａｔｕｒｅ，  ２０００，  ４０４：  ５６５）
【非特許文献４０】ＲＡＧＵＳＥ  ｅｔ  ａｌ．，  Ｓｔｒｕｃｔｕｒｅ−Ａｃｔｉｖｉｔｙ  Ｓｔｕｄｉｅｓ  ｏｆ  １４−Ｈｅｌｉｃａｌ  Ａｎｔｉｍｉｃｒｏｂｉａｌ  β−Ｐｅｐｔｉｄｅｓ：  Ｐｒｏｂｉｎｇ  ｔｈｅ  Ｒｅｌａｔｉｏｎｓｈｉｐ  ｂｅｔｗｅｅｎ  Ｃｏｎｆｏｒｍａｔｉｏｎａｌ  Ｓｔａｂｉｌｉｔｙ  ａｎｄ  Ａｎｔｉｍｉｃｒｏｂｉａｌ  Ｐｏｔｅｎｃｙ，  ２００２，  Ｊ．  Ａｍ．  Ｃｈｅｍ．  Ｓｏｃ．  １２４：１２７７４−１２７８５
【非特許文献４１】ＳＣＨＭＩＴＴ  ｅｔ  ａｌ．，  Ｕｎｅｘｐｅｃｔｅｄ  Ｒｅｌａｔｉｏｎｓｈｉｐｓ  ｂｅｔｗｅｅｎ  Ｓｔｒｕｃｔｕｒｅ  ａｎｄ  Ｆｕｎｃｔｉｏｎ  ｉｎ  ａ  β−Ｐｅｐｔｉｄｅｓ：  Ａｎｔｉｍｉｃｒｏｂｉａｌ  Ｆｏｌｄａｍｅｒｓ  ｗｉｔｈ  Ｈｅｔｅｒｏｇｅｎｅｏｕｓ  Ｂａｃｋｂｏｎｅｓ，  ２００４，  Ｊ．  Ａｍ．  Ｃｈｅｍ．  Ｓｏｃ．  １２６：６８４８−６８４９
【非特許文献４２】ＦＥＲＮＡＮＤＥＺ−ＬＯＰＥＺ  ｅｔ  ａｌ．，  Ａｎｔｉｂａｃｔｅｒｉａｌ  ａｇｅｎｔｓ  ｂａｓｅｄ  ｏｎ  ｔｈｅ  ｃｙｃｌｉｃ  Ｄ，  Ｌ−α−ｐｅｐｔｉｄｅ  ａｒｃｈｉｔｅｃｔｕｒｅ，  ２００１，  Ｎａｔｕｒｅ  ４１２：４５２−４５５
【非特許文献４３】ＰＡＴＣＨ  ｅｔ  ａｌ．，  Ｈｅｌｉｃａｌ  Ｐｅｐｔｏｉｄ  Ｍｉｍｉｃｓ  ｏｆ  Ｍａｇａｉｎｉｎ−２  Ａｍｉｄｅ，  ２００３，  Ｊ．  Ａｍ．  Ｃｈｅｍ．  Ｓｏｃ．  １２５：１２０９２−１２０９３
【非特許文献４４】ＬＩＵ  ｅｔ  ａｌ．，  Ｎｏｎｔｏｘｉｃ  ｍｅｍｂｒａｎｅ−Ａｃｔｉｖｅ  Ａｎｔｉｍｉｃｒｏｂｉａｌ  Ａｒｙｌａｍｉｄｅ  Ｏｌｉｇｏｍｅｒｓ，  ２００４，  Ｃｈｅｍ．  Ｉｎｔ．  Ｅｄｉｔ．  ４３：１１５８−１１６２
【非特許文献４５】ＴＡＳＨＩＲＯ，  Ａｎｔｉｂａｃｔｅｒｉａｌ  ａｎｄ  Ｂａｃｔｅｒｉｕｍ  Ａｂｓｏｒｂｉｎｇ  Ｍａｃｒｏｍｏｌｅｃｕｌｅｓ，  ２００１，  Ｍａｃｒｏｍｏｌｅｃｕｌａｒ  Ｍａｔ．  ａｎｄ  Ｅｎｇ．  ２８６：６３−８７
【非特許文献４６】ＷＯＲＬＥＹ  ｅｔ  ａｌ．，  Ｂｉｏｃｉｄａｌ  Ｐｏｌｙｍｅｒｓ，  １９９６，  Ｔｒｅｎｄｓ  ｉｎ  Ｐｏｌｙｍｅｒ  Ｓｃｉｅｎｃｅ  ４（１１）：３６４−３７０
【非特許文献４７】ＳＴＩＲＩＢＡ  ｅｔ  ａｌ．，  Ｄｅｎｄｒｉｔｉｃ  Ｐｏｌｙｍｅｒｓ  ｉｎ  Ｂｉｏｍｅｄｉｃａｌ  Ａｐｐｌｉｃａｔｉｏｎｓ：  Ｆｒｏｍ  Ｐｏｔｅｎｔｉａｌ  ｔｏ  Ｃｌｉｎｉｃａｌ  Ｕｓｅ  ｉｎ  Ｄｉａｇｎｏｓｔｉｃｓ  ａｎｄ  Ｔｈｅｒａｐｙ，  ２００２，  Ａｎｇｅｗ．  Ｃｈｅｍ．  Ｉｎｔ．  Ｅｄ．  ４１（８）：１３２９−１３３４
【非特許文献４８】ＬＩＭ  ｅｔ  ａｌ．，  Ｒｅｖｉｅｗ  ｏｆ  Ｃｈｉｔｏｓａｎ  ａｎｄ  ｉｔｓ  Ｄｅｒｉｖａｔｉｖｅｓ  ａｓ  Ａｎｔｉｍｉｃｒｏｂｉａｌ  Ａｇｅｎｔｓ  ａｎｄ  Ｔｈｅｉｒ  Ｕｓｅｓ  ａｓ  Ｔｅｘｔｉｌｅ  Ｃｈｅｍｉｃａｌｓ，  ２００３，  Ｊ．  Ｍａｃｒｏｍｏｌｅｃｕｌａｒ  Ｓｃｉｅｎｃｅ−Ｐｏｌｙｍｅｒ  Ｒｅｖｉｅｗｓ  Ｃ４３（２）：２２３−２６９
【非特許文献４９】ＴＨＯＲＳＴＥＩＮＳＳＯＮ  ｅｔ  ａｌ．，  Ｓｏｆｔ  Ａｎｔｉｂａｃｔｅｒｉａｌ  Ａｇｅｎｔｓ，  ２００３，  Ｃｕｒｒｅｎｔ  Ｍｅｄｉｃｉｎａｌ  Ｃｈｅｍｉｓｔｒｙ  １０：１１２９−１１３６
【非特許文献５０】ＫＥＮＡＷＹ  ｅｔ  ａｌ．，  Ｂｉｏｌｏｇｉｃａｌｌｙ  Ａｃｔｉｖｅ  Ｐｏｌｙｍｅｒｓ，  ６ａ：  Ｓｙｎｔｈｅｓｉｓ  ａｎｄ  Ａｎｔｉｍｉｃｒｏｂｉａｌ  Ａｃｔｉｖｉｔｙ  ｏｆ  Ｓｏｍｅ  Ｌｉｎｅａｒ  Ｃｏｐｏｌｙｍｅｒｓ  ｗｉｔｈ  Ｑｕａｔｅｒｎａｒｙ  Ａｍｍｏｎｉｕｍ  ａｎｄ  Ｐｈｏｓｐｈｏｎｉｕｍ  Ｇｒｏｕｐｓ，  ２００３，  Ｍａｃｒｏｍｏｌｅｃｕｌａｒ  Ｂｉｏｓｃ．  ３：１０７−１１６
【非特許文献５１】ＰＡＶＬＩＫＯＶＡ，  ｅｔ  ａｌ．，  Ｑｕａｎｔｉｔａｔｉｖｅ  Ｒｅｌａｔｉｏｎｓｈｉｐｓ  Ｂｅｔｗｅｅｎ  Ｓｔｒｕｃｔｕｒｅ，  Ａｇｇｒｅｇａｔｉｏｎ  Ｐｒｏｐｅｒｔｉｅｓ  ａｎｄ  Ａｎｔｉｍｉｃｒｏｂｉａｌ  Ａｃｔｉｖｉｔｙ  ｏｆ  Ｑｕａｔｅｒｎａｒｙ  Ａｍｍｏｎｉｕｍ  Ｂｏｌａａｍｐｈｉｐｈｉｌｅｓ，  １９９５，  Ｃｏｌｌｅｃｔ．  Ｃｚｅｃｈ．  Ｃｈｅｍ．  Ｃｏｍｍｕｎ．  ６０：１２１３−１２２８
【非特許文献５２】ＬＩ  ｅｔ  ａｌ．，  Ｓｔｕｄｙ  ｏｆ  Ｐｙｒｉｄｉｎｉｕｍ−Ｔｙｐｅ  Ｆｕｎｃｔｉｏｎａｌ  Ｐｏｌｙｍｅｒｓ．  ＩＩ．  Ａｎｔｉｂａｃｔｅｒｉａｌ  Ａｃｔｉｖｉｔｙ  ｏｆ  Ｓｏｌｕｂｌｅ  Ｐｙｒｉｄｉｎｉｕｍ−Ｔｙｐｅ  Ｐｏｌｙｍｅｒｓ，  １９９８，  Ｊ．  Ａｐｐｌ．  Ｐｏｌｙｍ．  Ｓｃｉ．  ６７：１７６１−１７６８
【非特許文献５３】ＲＯＷＤＥＮ  ｅｔ  ａｌ．，  Ｉｎ  Ｖｉｔｒｏ  Ｃｏｒｎｅａｌ  Ｅｎｄｏｔｈｅｌｉａｌ  Ｔｏｘｉｃｉｔｙ  ｏｆ  ＰＨＭＢ，  １９９７，  Ｉｎｖｅｓｔｉｇａｔｉｖｅ  Ｏｐｈｔｈａｌｍｏｌｏｇｙ  &  Ｖｉｓｕａｌ  Ｓｃｉｅｎｃｅ：  Ａｂｓｔｒａｃｔ  Ｂｏｏｋ−Ｐａｒｔ  ＩＩＩ  ３８（４）：５１３５−Ｂ６４２
【非特許文献５４】ＬＩＵ  ｅｔ  ａｌ．，  Ｉｎ  Ｖｉｔｒｏ  Ｓｕｓｃｅｐｔｉｂｉｌｉｔｙ  ｏｆ  Ｏｃｕｌａｒ  Ｂａｃｔｅｒｉａｌ  ａｎｄ  Ｆｕｎｇａｌ  Ｐａｔｈｏｇｅｎｓ  ｔｏ  Ｐｏｌｙｈｅｘａｍｅｔｈｙｌｅｎｅ  Ｂｉｇｕａｎｉｄｅ，  １９９６，  Ｉｎｖｅｓｔｉｇａｔｉｖｅ  Ｏｐｈｔｈａｌｍｏｌｏｇｙ  &  Ｖｉｓｕａｌ  Ｓｃｉｅｎｃｅ：  Ａｂｓｔｒａｃｔ  Ｂｏｏｋ  ３７（３）：Ｓ８７６：４０５８−Ｂ８４４
【非特許文献５５】ＶＯＧＥＬＢＥＲＧ  ｅｔ  ａｌ．，  Ｉｎ  Ｖｉｔｒｏ  Ｔｏｘｉｃｉｔｙ  ｏｆ  Ｐｏｌｙｈｅｒａｎｉｄｅ  （ＰＨＭＢ），  １９９４，  Ｉｎｖｅｓｔｉｇａｔｉｖｅ  Ｏｐｈｔｈａｌｍｏｌｏｇｙ  &  Ｖｉｓｕａｌ  Ｓｃｉｅｎｃｅ−Ａｎｎｕａｌ  Ｍｅｅｔｉｎｇ  Ａｂｓｔｒａｃｔ  Ｉｓｓｕｅ  ３５（４）：１３３７：３７３−８
【非特許文献５６】ＡＬＢＥＲＴ  ｅｔ  ａｌ．，  Ｓｔｒｕｃｔｕｒｅ−Ａｃｔｉｖｉｔｙ  Ｒｅｌａｔｉｏｎｓｈｉｐｓ  ｏｆ  Ｏｌｉｇｏｇｕａｎｉｄｉｎｅｓ−Ｉｎｆｌｕｅｎｃｅ  ｏｆ  Ｃｏｕｎｔｅｒｉｏｎ，  Ｄｉａｍｉｎｅ，  ａｎｄ  Ａｖｅｒａｇｅ  Ｍｏｌｅｃｕｌａｒ  Ｗｅｉｇｈｔ  ｏｎ  Ｂｉｏｃｉｄａｌ  Ａｃｔｉｖｉｔｉｅｓ，  ２００３，  Ｂｉｏｍａｃｒｏｍｏｌｅｃｕｌｅｓ  ４：１８１１−１８１７
【非特許文献５７】ＭＥＳＳＩＣＫ  ｅｔ  ａｌ．，  Ｉｎ−ｖｉｔｒｏ  ａｃｔｉｖｉｔｙ  ｏｆ  ｐｏｌｙｈｅｘａｍｅｔｈｙｌｅｎｅ  ｂｉｇｕａｎｉｄｅ  （ＰＨＭＢ）  ａｇａｉｎｓｔ  ｆｕｎｇａｌ  ｉｓｏｌａｔｅｓ  ａｓｓｏｃｉａｔｅｄ  ｗｉｔｈ  ｉｎｆｅｃｔｉｖｅ  ｋｅｒａｔｉｔｉｓ，  １９９９，  Ｊ．  Ａｎｔｉｍｉｃｒｏｂ．  Ｃｈｅｍｏｔｈｅｒ．  ４４：２９７−２９８
【非特許文献５８】ＨＩＲＡＫＩ  ｅｔ  ａｌ．，  Ｕｓｅ  ｏｆ  ＡＤＭＥ  ｓｔｕｄｉｅｓ  ｔｏ  ｃｏｎｆｉｒｍ  ｔｈｅ  ｓａｆｅｔｙ  ｏｆ  ?−ｐｏｌｙｌｙｓｉｎｅ  ａｓ  ａ  ｐｒｅｓｅｒｖａｔｉｖｅ  ｉｎ  ｆｏｏｄ，  ２００３，  Ｒｅｇｕｌａｔｏｒｙ  Ｔｏｘｉｃｏｌｏｇｙ  ａｎｄ  Ｐｈａｒｍａｃｏｌｏｇｙ  ３７：３２８−３４０
【非特許文献５９】ＳＨＩＭＡ  ｅｔ  ａｌ．，  Ａｎｔｉｍｉｃｒｏｂｉａｌ  Ａｃｔｉｏｎ  ｏｆ  ?−Ｐｏｌｙ−Ｌ−Ｌｙｓｉｎｅ，  １９８４，  Ｊ．  Ａｎｔｉｂｉｏｔ．  ３７（１１）：１４４９−１４５５
【非特許文献６０】ＧＥＬＭＡＮ  ｅｔ  ａｌ．，  Ｂｉｏｃｉｄａｌ  Ａｃｔｉｖｉｔｙ  ｏｆ  Ｐｏｌｙｓｔｙｒｅｎｅｓ  ｔｈａｔ  ａｒｅ  Ｃａｔｉｏｎｉｃ  ｂｙ  Ｖｉｒｔｕｅ  ｏｆ  Ｐｒｏｔｏｎａｔｉｏｎ，  ２００４，  Ｏｒｇａｎｉｃ  Ｌｅｔｔｅｒｓ  ６（４）：５５７−５６０
【非特許文献６１】ＡＲＮＴ  ｅｔ  ａｌ．，  Ｎｏｎｈｅｍｏｌｙｔｉｃ  Ａｂｉｏｇｅｎｉｃ  Ｐｏｌｙｍｅｒｓ  ａｓ  Ａｎｔｉｍｉｃｒｏｂｉａｌ  Ｐｅｐｔｉｄｅ  Ｍｉｍｉｃｓ，  ２００４，  Ｊ．  Ｐｏｌｙｍｅｒ  Ｓｃｉｅｎｃｅ  Ｐａｒｔ  Ａ−Ｐｏｌｙｍｅｒ  Ｃｈｅｍｉｓｔｒｙ  ４２：  ３８６０−３８６４
【非特許文献６２】ＫＩＥＳＳＬＩＮＧ  ｅｔ  ａｌ．，  Ｓｙｎｔｈｅｓｉｓ  ａｎｄ  Ａｐｐｌｉｃａｔｉｏｎｓ  ｏｆ  Ｂｉｏａｃｔｉｖｅ  Ｐｏｌｙｍｅｒｓ  Ｇｅｎｅｒａｔｅｄ  ｂｙ  Ｒｉｎｇ−Ｏｐｅｎｉｎｇ  Ｍｅｔａｔｈｅｓｉｓ  Ｐｏｌｙｍｅｒｉｚａｔｉｏｎ，  Ｈａｎｄｂｏｏｋ  ｏｆ  Ｍｅｔａｔｈｅｓｉｓ，  Ｇｒｕｂｂｓ  ｅｄ．，  Ｗｉｌｅｙ−ＶＣＨ：  Ｗｅｉｎｈｅｉｍ，  ２００３，  ｖｏｌ．  ３：１８０−２２５
【非特許文献６３】ＴＲＮＫＡ  ｅｔ  ａｌ．，  Ｔｈｅ  Ｄｅｖｅｌｏｐｍｅｎｔ  ｏｆ  Ｌ２Ｘ２Ｒｕ−ＣＨＲ  Ｏｌｅｆｉｎ  Ｍｅｔａｔｈｅｓｉｓ  Ｃａｔａｌｙｓｔｓ：  Ａｎ  Ｏｒｇａｎｏｍｅｔａｌｌｉｃ  Ｓｕｃｃｅｓｓ  Ｓｔｏｒｙ，  ２００１，  Ａｃｃ．  Ｃｈｅｍ．  Ｒｅｓ．  ３４：１８−２９
【非特許文献６４】ＢＵＣＨＭＥＩＳＥＲ，  Ｈｏｍｏｇｅｎｏｕｓ  Ｍｅｔａｔｈｅｓｉｓ  Ｐｏｌｙｍｅｒｉｚａｔｉｏｎ  ｂｙ  Ｗｅｌｌ−Ｄｅｆｉｎｅｄ  Ｇｒｏｕｐ  ＶＩ  ａｎｄ  Ｇｒｏｕｐ  ＶＩＩＩ  Ｔｒａｎｓｉｔｉｏｎ−Ｍｅｔａｌ  Ａｌｋｙｌｉｄｅｎｅｓ：  Ｆｕｎｄａｍｅｎｔａｌｓ  ａｎｄ  Ａｐｐｌｉｃａｔｉｏｎｓ  ｉｎ  ｔｈｅ  Ｐｒｅｐａｒａｔｉｏｎｓ  ｏｆ  Ａｄｖａｎｃｅｄ  Ｍａｔｅｒｉａｌｓ，  ２０００，  Ｃｈｅｍ．  Ｒｅｖ．  １００：１５６５−１６０４
【非特許文献６５】ＭＡＹＮＡＲＤ  ｅｔ  ａｌ．，  Ｓｙｎｔｈｅｓｉｓ  ｏｆ  Ｎｏｒｂｏｒｎｅｎｙｌ  Ｐｏｌｙｍｅｒｓ  ｗｉｔｈ  Ｂｉｏａｃｔｉｖｅ  Ｏｌｉｇｏｐｅｐｔｉｄｅｓ  ｂｙ  Ｒｉｎｇ−Ｏｐｅｎｉｎｇ  Ｍｅｔｈｔｈｅｓｉｓ  Ｐｏｌｙｍｅｒｉｚａｔｉｏｎ，  ２０００，  Ｍａｃｒｏｍｏｌｅｃｕｌｅｓ  ３３：６２３９−６２４８
【非特許文献６６】ＷＡＴＳＯＮ  ｅｔ  ａｌ．，  ＤＮＡ−Ｂｌｏｃｋ  Ｃｏｐｏｌｙｍｅｒ  Ｃｏｎｊｕｇａｔｅｓ，  Ｊ．  Ａｍ．  Ｃｈｅｍ．  Ｓｏｃ．  １２３：５５９２−５５９３
【非特許文献６７】ＭＯＲＴＥＬＬ  ｅｔ  ａｌ．，  Ｓｙｎｔｈｅｓｉｓ  ｏｆ  Ｃｅｌｌ  Ａｇｇｌｕｔｉｎａｔｉｏｎ  Ｉｎｈｉｂｉｔｏｒｓ  ｂｙ  Ａｑｕｅｏｕｓ  Ｒｉｎｇ−Ｏｐｅｎｉｎｇ  Ｍｅｔａｔｈｅｓｉｓ  Ｐｏｌｙｍｅｒｉｚａｔｉｏｎ，  １９９４，  Ｊ．  Ａｍ．  Ｃｈｅｍ．  Ｓｏｃ．  １１６：１２０５３−１２０５４
【非特許文献６８】ＭＯＲＴＥＬＬ  ｅｔ  ａｌ．，  Ｒｅｃｏｇｎｉｔｉｏｎ  Ｓｐｅｃｉｆｉｃｉｔｙ  ｏｆ  Ｎｅｏｇｌｙｃｏｐｏｌｙｍｅｒｓ  Ｐｒｅｐａｒｅｄ  ｂｙ  Ｒｉｎｇ−Ｏｐｅｎｉｎｇ  Ｍｅｔａｔｈｅｓｉｓ  Ｐｏｌｙｍｅｒｉｚａｔｉｏｎ，  １９９６，  Ｊ．  Ａｍ．  Ｃｈｅｍ．  Ｓｏｃ．  １１８：２２９７−２２９８
【非特許文献６９】ＭＥＩＥＲ  ｅｔ  ａｌ．，  Ｃａｒｂｏｈｙｄｒａｔｅ  ａｎａｌｏｇｕｅ  ｐｏｌｙｍｅｒｓ  ｂｙ  ｒｉｎｇ  ｏｐｅｎｉｎｇ  ｍｅｔａｔｈｅｓｉｓ  ｐｏｌｙｍｅｒｉｚａｔｉｏｎ  （ＲＯＭＰ）  ａｎｄ  ｓｕｂｓｅｑｕｅｎｔ  ｃａｔａｌｙｔｉｃ  ｄｉｈｙｄｒｏｘｙｌａｔｉｏｎ，  ２００１，  Ｃｈｅｍ．  Ｃｏｍｍｕｎ．  ９：８５５−８５６
【非特許文献７０】ＷＡＴＳＯＮ  ｅｔ  ａｌ．，  Ｃｏｍｍｕｎｉｃａｔｉｏｎｓ  ｔｏ  ｔｈｅ  Ｅｄｉｔｏｒ，  ２００１，  Ｍａｃｒｏｍｏｌｅｃｕｌｅｓ  ３４（１１）：３５０７−３５０９
【非特許文献７１】ＡＲＩＭＯＴＯ  ｅｔ  ａｌ．，  Ｍｕｌｔｉ−ｖａｌｅｎｔ  ｐｏｌｙｍｅｒ  ｏｆ  ｖａｎｃｏｍｙｃｉｎ：  ｅｎｈａｎｃｅｄ  ａｎｔｉｂａｃｔｅｒｉａｌ  ａｃｔｉｖｉｔｙ  ａｇａｉｎｓｔ  ＶＲＥ，  １９９９，  Ｃｈｅｍ．  Ｃｏｍｍｕｎ．  １３６１−１３６２
【非特許文献７２】ＩＬＫＥＲ  ｅｔ  ａｌ．，  Ｍｏｄｕｌａｒ  Ｎｏｒｂｏｒｎｅｎｅ  Ｄｅｒｉｖａｔｉｖｅｓ  ｆｏｒ  ｔｈｅ  Ｐｒｅｐａｒａｔｉｏｎ  ｏｆ  Ｗｅｌｌ−Ｄｅｆｉｎｅｄ  Ａｍｐｈｉｐｈｉｌｉｃ  Ｐｏｌｙｍｅｒｓ：  Ｓｔｕｄｙ  ｏｆ  ｔｈｅ  Ｌｉｐｉｄ  Ｍｅｍｂｒａｎｅ  Ｄｉｓｒｕｐｔｉｏｎ  Ａｃｔｉｖｉｔｉｅｓ，  ２００４，  Ｍａｃｒｏｍｏｌｅｃｕｌｅｓ  ３７：６９４−７００
【非特許文献７３】ＬＯＶＥ  ｅｔ  ａｌ．，  Ａ  Ｐｒａｃｔｉｃａｌ  ａｎｄ  Ｈｉｇｈｌｙ  Ａｃｔｉｖｅ  Ｒｕｔｈｅｎｉｕｍ−Ｂａｓｅｄ  Ｃａｔａｌｙｓｔ  ｔｈａｔ  Ｅｆｆｅｃｔｓ  ｔｈｅ  Ｃｒｏｓｓ  Ｍｅｔａｔｈｅｓｉｓ  ｏｆ  Ａｃｒｙｌｏｎｉｔｒｉｌｅ，  ２００２，  Ａｎｇｅｗ．  Ｃｈｅｍ．  Ｉｎｔ．  Ｅｄｉｔ．  ４１（２１）：４０３５−４０３７
【非特許文献７４】ＷＯＬＦＥＲＴ  ｅｔ  ａｌ．，  Ｐｏｌｙｅｌｅｃｔｒｏｌｙｔｅ  Ｖｅｃｔｏｒｓ  ｆｏｒ  Ｇｅｎｅ  Ｄｅｌｉｖｅｒｙ：  Ｉｎｆｌｕｅｎｃｅ  ｏｆ  Ｃａｔｉｏｎｉｃ  Ｐｏｌｙｍｅｒ  ｏｎ  Ｂｉｏｐｈｙｓｉｃａｌ  Ｐｒｏｐｅｒｔｉｅｓ  ｏｆ  Ｃｏｍｐｌｅｘｅｓ  Ｆｏｒｍｅｄ  ｗｉｔｈ  ＤＮＡ，  １９９９，  Ｂｉｏｃｏｎｊｕｇａｔｅ  Ｃｈｅｍｉｓｔｒｙ  １０：９９３−１００４
【非特許文献７５】ＨＥＬＭＥＲＨＯＲＳＴ  ｅｔ  ａｌ．，  Ａ  ｃｒｉｔｉｃａｌ  ｃｏｍｐａｒｉｓｏｎ  ｏｆ  ｔｈｅ  ｈｅｍｏｌｙｔｉｃ  ａｎｄ  ｆｕｎｇｉｃｉｄａｌ  ａｃｔｉｖｉｔｉｅｓ  ｏｆ  ｃａｔｉｏｎｉｃ  ａｎｔｉｍｉｃｒｏｂｉａｌ  ｐｅｐｔｉｄｅｓ，  １９９９，  Ｎ．  ＦＥＢＳ  Ｌｅｔｔ．  ４４９：１０５−１１０
【非特許文献７６】ＦＲＥＮＺＥＬ  ｅｔ  ａｌ．，  Ｒｕｔｈｅｎｉｕｍ−Ｂａｓｅｄ  Ｍｅｔａｔｈｅｓｉｓ  Ｉｎｉｔｉａｔｏｒｓ：  Ｄｅｖｅｌｏｐｍｅｎｔ  ａｎｄ  Ｕｓｅ  ｉｎ  Ｒｉｎｇ−Ｏｐｅｎｉｎｇ  Ｍｅｔａｔｈｅｓｉｓ  Ｐｏｌｙｍｅｒｉｚａｔｉｏｎ，  ２００２，  Ｊ．  Ｐｏｌｙｍｅｒ  Ｓｃｉｅｎｃｅ  Ｐａｒｔ  Ａ−Ｐｏｌｙｍｅｒ  Ｃｈｅｍｉｓｔｒｙ  ４０：２８９５−２９１６
【非特許文献７７】ＢＩＡＧＩＮＩ，  ｅｔ  ａｌ．，  Ｓｙｎｔｈｅｓｉｓ  ｏｆ  ｐｅｎｉｃｉｌｌｉｎ  ｄｅｒｉｖｅｄ  ｐｏｌｙｍｅｒｓ  ｕｔｉｌｉｚｉｎｇ  ｒｉｎｇ−ｏｐｅｎｉｎｇ  ｍｅｔａｔｈｅｓｉｓ  ｐｏｌｙｍｅｒｉｚａｔｉｏｎ  ｍｅｔｈｏｄｏｌｏｇｙ，  １９９７，  Ｃｈｅｍ．  Ｃｏｍｍｕｎ．  １２：１０９７−１０９８
【非特許文献７８】ＩＬＫＥＲ  ｅｔ  ａｌ．，  Ａｌｔｅｒｎａｔｉｎｇ  Ｃｏｐｏｌｙｍｅｒｉｚａｔｉｏｎｓ  ｏｆ  Ｐｏｌａｒ  ａｎｄ  Ｎｏｎｐｏｌａｒ  Ｃｙｃｌｉｃ  Ｏｌｅｆｉｎｓ  ｂｙ  Ｒｉｎｇ−Ｏｐｅｎｉｎｇ  Ｍｅｔａｔｈｅｓｉｓ  Ｐｏｌｙｍｅｒｉｚａｔｉｏｎ，  ２００２，  Ｍａｃｒｏｍｏｌｅｃｕｌｅｓ  ３５：５４−５８